【事件の表示】
　商願２００５−７８０９３拒絶査定不服審判事件について、次のとおり審決する。
【結　論】
　原査定を取り消す。
　本願商標は、登録すべきものとする。
【理　由】
１　本願商標
　本願商標は、別掲のとおりの構成よりなり、第３類、第１６類、第１８類、第２０類、第２１類、第２４類及び第２５類に属する願書記載のとおりの商品を指定商品として、平成１７年８月２２日に登録出願されたものである。そして、願書記載の指定商品については、当審における同１９年１月９日付け手続補正書により、第３類「靴クリーム，靴墨，つや出し剤，歯磨き，香料類，研磨紙，研磨布，研磨用砂，人造軽石，つや出し紙，つや出し布，つけづめ，つけまつ毛」、第１６類「封ろう，装飾塗工用ブラシ，紙製包装用容器，家庭用食品包装フィルム，紙製ごみ収集用袋，プラスチック製ごみ収集用袋，型紙，裁縫用チャコ，紙製のぼり，紙製旗，観賞魚用水槽及びその附属品，衛生手ふき，紙製タオル，紙製テーブルナプキン，紙製手ふき，紙製ハンカチ，荷札，印刷したくじ（おもちゃを除く。），紙製テーブルクロス，紙類，印刷物，書画」、第１８類「かばん金具，がま口口金，皮革製包装用容器，愛玩動物用被服類，携帯用化粧道具入れ，傘，ステッキ，つえ，つえ金具，つえの柄，乗馬用具」、第２０類「海泡石，こはく，輸送用コンテナ（金属製のものを除く。），カーテン金具，金属代用のプラスチック製締め金具，くぎ・くさび・ナット・ねじくぎ・びょう・ボルト・リベット及びキャスター（金属製のものを除く。），座金及びワッシャー（金属製・ゴム製又はバルカンファイバー製のものを除く。），錠（電気式又は金属製のものを除く。），麦わらさなだ，木製・竹製又はプラスチック製の包装用容器，ストロー，盆（金属製のものを除く。），ししゅう用枠，ネームプレート及び標札（金属製のものを除く。），旗ざお，うちわ，せんす，植物の茎支持具，愛玩動物用ベッド，犬小屋，小鳥用巣箱，きゃたつ及びはしご（金属製のものを除く。），郵便受け（金属製又は石製のものを除く。），帽子掛けかぎ（金属製のものを除く。），買物かご，家庭用水槽（金属製又は石製のものを除く。），ハンガーボード，工具箱（金属製のものを除く。），タオル用ディスペンサー（金属製のものを除く。），家具，屋内用ブラインド，すだれ，装飾用ビーズカーテン，つい立て，びょうぶ，ベンチ，アドバルーン，木製又はプラスチック製の立て看板，食品見本模型，人工池，揺りかご，幼児用歩行器，マネキン人形，洋服飾り型類，額縁，石こう製彫刻，プラスチック製彫刻，木製彫刻」、第２１類「魚ぐし，おけ用ブラシ，金ブラシ，管用ブラシ，工業用はけ，船舶ブラシ，ガラス製又は陶磁製の包装用容器，なべ類，コーヒー沸かし（電気式又は貴金属製のものを除く。），鉄瓶，やかん，食器類（貴金属製のものを除く。），携帯用アイスボックス，米びつ，食品保存用ガラス瓶，水筒，魔法瓶，アイスペール，泡立て器，こし器，こしょう入れ・砂糖入れ及び塩振り出し容器（貴金属製のものを除く。），卵立て（貴金属製のものを除く。），ナプキンホルダー及びナプキンリング（貴金属製のものを除く。），盆（貴金属製のものを除く。），ようじ入れ（貴金属製のものを除く。），ざる，シェーカー，しゃもじ，手動式のコーヒー豆ひき器及びこしょうひき，じょうご，すりこぎ，すりばち，ぜん，栓抜，大根卸し，タルト取り分け用へら，なべ敷き，はし，はし箱，ひしゃく，ふるい，まな板，麺棒，焼き網，ようじ，レモン絞り器，ワッフル焼き型（電気式のものを除く。），清掃用具及び洗濯用具，アイロン台，霧吹き，こて台，へら台，湯かき棒，浴室用腰掛け，浴室用手おけ，ろうそく消し及びろうそく立て（貴金属製のものを除く。），家庭用燃え殻ふるい，石炭入れ，はえたたき，ねずみ取り器，植木鉢，家庭園芸用の水耕式植物栽培器，じょうろ，愛玩動物用食器，愛玩動物用ブラシ，犬のおしゃぶり，小鳥かご，小鳥用水盤，洋服ブラシ，寝室用簡易便器，トイレットペーパーホルダー，貯金箱（金属製のものを除く。），お守り，おみくじ，紙タオル取り出し用金属製箱，靴脱ぎ器，せっけん用ディスペンサー，花瓶及び水盤（貴金属製のものを除く。），風鈴，ガラス製又は磁器製の立て看板，化粧用具」、第２４類「織物，メリヤス生地，フェルト及び不織布，オイルクロス，ゴム引防水布，ビニルクロス，ラバークロス，レザークロス，ろ過布，織物製テーブルナプキン，ふきん，シャワーカーテン，のぼり及び旗（紙製のものを除く。），織物製トイレットシートカバー，織物製いすカバー，織物製壁掛け，カーテン，テーブル掛け，どん帳」及び第２５類「ガーター，靴下止め，ズボンつり，バンド，ベルト，仮装用衣服」と補正されたものである。
　
２　原査定の拒絶理由の要点 
　原査定は、「本願商標は、登録第５４３４４２号商標（以下、「引用商標１」という。）、登録第７８０７８５号商標（以下、「引用商標２」という。）、登録第７８０７８６号商標（以下、「引用商標３」という。）、登録第９７３７４５号商標（以下、「引用商標４」という。）、登録第１１８６００２号商標（以下、「引用商標５」という。）、登録第１３７５０１１号商標（以下、「引用商標６」という。）、登録第１６７１０２０号商標（以下、「引用商標７」という。）、登録第１８１２７７３号商標（以下、「引用商標８」という。）、登録第１８８１１１１号商標（以下、「引用商標９」という。）、登録第１９１０６０２号の１商標（以下、「引用商標１０」という。）、登録第２０２２１１９号商標（以下、「引用商標１１」という。）、登録第２１０８４０９号商標（以下、「引用商標１２」という。）、登録第２１１４８５６号商標（以下、「引用商標１３」という。）、登録第２２３５７５７号商標（以下、「引用商標１４」という。）、登録第２２６１９５４号商標（以下、「引用商標１５」という。）、登録第２４０７３３６号商標（以下、「引用商標１６」という。）、登録第３１０１９７８号商標（以下、「引用商標１７」という。）、登録第３２４１６１６号商標（以下、「引用商標１８」という。）、登録第４０６３３３６号商標（以下、「引用商標１９」という。）、登録第４８０７９２９号商標（以下、「引用商標２０」という。）、登録第５０７８６１４号商標として登録された商願２００５−５３２４４号商標（以下、「引用商標２１」という。）及び国際登録番号８６１６８２商標（以下、「引用商標２２」という。）と同一又は類似の商標であって同一又は類似の商品について使用をするものであるから、商標法第４条第１項第１１号に該当する。また、本願商標は、商標権が消滅してから１年を経過していない登録第２７０８８１４号商標（以下、「引用商標２３」という。）と同一又は類似の商標であって同一又は類似の商品について使用をするものであるから、商標法第４条第１項第１３号に該当する。」旨認定、判断し、本願を拒絶したものである。
　　
３　当審の判断
　本願商標は、その指定商品について前記１のとおり補正された結果、引用商標１ないし引用商標９、引用商標１２ないし引用商標１８及び引用商標２０ないし引用商標２２の指定商品と同一又は類似の商品は、すべて削除されたと認められるものである。
　その結果、本願商標の指定商品は、引用商標１ないし引用商標９、引用商標１２ないし引用商標１８及び引用商標２０ないし引用商標２２の指定商品と類似しない商品になった。
　そして、商標登録原簿の記載によれば、原審で引用した引用商標１０の商標権は、平成１８年１１月２７日に存続期間満了によって消滅し、その抹消の登録が同１９年８月８日になされたものであり、同引用商標１１の商標権は、平成２０年２月２２日に存続期間満了によって消滅し、その抹消の登録が同年１１月５日になされたものであり、同引用商標１９の商標権は、平成１９年１０月３日に存続期間満了によって消滅し、その抹消の登録が同２０年６月１８日になされたものであり、さらに、同引用商標２３の商標権は、平成１７年７月３１日に存続期間満了によって消滅し、その抹消の登録が同１８年４月１９日になされたものであり、これらはそれぞれすでに商標権が消滅した日から１年を経過しているものである。
　したがって、本願商標が商標法第４条第１項第１１号及び同第４条第１項第１３号に該当するとして本願を拒絶した原査定の拒絶の理由は、解消した。
　その他、政令で定める期間内に本願について拒絶の理由を発見しない。
　よって、結論のとおり審決する。